(57)【要約】【課題】通帳等の二つ折りの媒体の収納部を小型化する手段を提供する。【解決手段】二つ折りの通帳を開いた状態で、かつ立位で収納する収納部１６を備えた通帳ユニット１において、収納部１６に、通帳を搬入する搬入口３８が設けられた正面板３１と、正面板３１に媒体収納空間３５を挟んで対向配置され、通帳の搬送方向に沿って設けられたコの字状断面形状の突条４３を有する背面板３３と、正面板３１の裏側に配置された発光部４１ａおよび受光部４１ｂに、背面板３３の裏側に配置されたセンサプリズム４１ｃを対向配置させて、媒体収納空間３５に収納された通帳の存在を検出する収納媒体検出センサ４１とを設け、突条４３を、媒体収納空間３５の縦折り通帳１８の折り目１８ａを避けた位置に設けると共に、背面板３３側に配置されるセンサプリズム４１ｃを、突条４３の裏側の凹部４４に収容する。【選択図】        図２
2010122983.tif 000002
【特許請求の範囲】
【請求項１】
二つ折りの媒体を開いた状態で、かつ立位で収納する収納部を備えた媒体取扱装置であって、
前記収納部に、
前記媒体を搬入する搬入口が設けられた正面板と、
前記正面板に媒体収納空間を挟んで対向配置され、前記媒体の搬送方向に沿って設けられたコの字状断面形状の突条を有する背面板と、
前記正面板と前記背面板とのそれぞれの前記媒体収納空間の反対側に対向配置された検出部材を有し、前記媒体収納空間に収納された媒体の存在を検出する収納媒体検出センサと、を設け、
前記突条を、前記媒体収納空間に収納される、搬送方向に沿った折り目を有する媒体の前記折り目を避けた位置に設けると共に、前記背面板側に配置される前記検出部材を、前記突条の前記媒体収納空間の反対側に形成された凹部に収容したことを特徴とする媒体取扱装置。
【請求項２】
請求項１において、
前記収納部の搬入口に前記媒体を搬送する搬送路を備え、
前記搬送路の、前記媒体の搬送方向に沿った一の側方に基準面を設けると共に、前記基準面側の側縁部に、前記搬送路を搬送される媒体の側端部の通過を検出する寄せ検知センサを設け、
前記寄せ検知センサが、前記媒体の通過を検出しないときに、当該媒体を前記基準面に押付けて搬送状態を整位することを特徴とする媒体取扱装置。
【発明の詳細な説明】
【技術分野】
【０００１】
本発明は、現金自動預払機等の自動取引装置に設けられ、通帳等の二つ折りの媒体を取扱う媒体取扱装置に関する。
【背景技術】
【０００２】
銀行や日本郵政株式会社のゆうちょ銀行等の金融機関の支店や郵便局、コンビニエンスストア等の店舗に設置された現金自動預払機は、顧客との間での取引処理を自動で行うために、取引選択画面や各種の入力画面等を表示する表示画面とタッチパネルとを有する操作表示部、顧客のキャッシュカード等の取引カードの磁気ストライプ等に記録されている口座番号等のカード情報を読み書きすると共に取引明細票を発行するカードユニット、顧客の通帳の磁気ストライプ等に記録されている口座番号等の通帳情報を読み書きすると共に取引内容等を通帳に記帳する通帳ユニット、紙幣の入出金を行う紙幣ユニット、硬貨の入出金を行う硬貨ユニット等が設けられている。
【０００３】
このような現金自動預払機は、顧客の取引における操作性を向上させるために取引カードや通帳の挿入口、操作表示部、紙幣や硬貨の入出金口は前面側に集中して配置されるために各ユニットの小型化が求められており、特に通帳ユニットは取扱う通帳が他の取引カード等に較べて大型であるために小型化が望まれている。
従来の通帳を取扱う帳票取扱装置は、取忘れられた通帳を装置内に回収する場合に、通帳の折り目を搬送方向の直交方向として搬送路で搬送し、通帳の先端を通帳退避部に突っ込んでその折り目を折畳み用の空間に位置させ、その空間に配置されたゲートローラにより通帳の中央部を押圧して通帳を折畳み、折畳んだ状態の通帳を搬送路で搬送して取忘れ通帳の収納部に集積して回収している（例えば、特許文献１参照。）。
【特許文献１】特開平２−１７１２６５号公報（主に、第３頁右下欄９行−１７行、第５図）
【発明の開示】
【発明が解決しようとする課題】
【０００４】
しかしながら、上述した従来の技術においては、通帳を折畳んで収納部に集積しているため、通帳を折畳むための空間や通帳退避部、ゲートローラ等の各機構を要し、これらを設けるスペースを確保しなければならず、媒体取扱装置が大型化し、これが制約となって現金自動預払機の小型化を図ることが困難になるという問題がある。
また、通帳には印字方向の直交方向に折り目が設けられた通帳（縦折り通帳という。図６参照）や印字方向と平行に折り目が設けられた通帳（横折り通帳という。図７参照）といった各種の通帳が存在し、これらを同一機構で折畳み、整然と集積することは困難であるという問題がある。
【０００５】
本発明は、上記の問題点を解決するためになされたもので、通帳等の二つ折りの媒体の収納部を小型化する手段を提供することを目的とする。
【課題を解決するための手段】
【０００６】
本発明は、上記課題を解決するために、二つ折りの媒体を開いた状態で、かつ立位で収納する収納部を備えた媒体取扱装置であって、前記収納部に、前記媒体を搬入する搬入口が設けられた正面板と、前記正面板に媒体収納空間を挟んで対向配置され、前記媒体の搬送方向に沿って設けられたコの字状断面形状の突条を有する背面板と、前記正面板と前記背面板とのそれぞれの前記媒体収納空間の反対側に対向配置された検出部材を有し、前記媒体収納空間に収納された媒体の存在を検出する収納媒体検出センサと、を設け、前記突条を、前記媒体収納空間に収納される、搬送方向に沿った折り目を有する媒体の前記折り目を避けた位置に設けると共に、前記背面板側に配置される前記検出部材を、前記突条の前記媒体収納空間の反対側に形成された凹部に収容したことを特徴とする。
【発明の効果】
【０００７】
これにより、本発明は、検出部材の両側の無駄空間を利用して突条を形成することが可能になり、媒体取扱装置の小型化を図ることができると共に、突条の両側に拡大された収納幅Ｔ２を有する媒体収納空間を形成することができ、縦折り媒体を収納する場合は、拡大された収納幅Ｔ２を利用して縦折り媒体の復元力による背面板および正面板との摩擦力を低減することが可能になり、横折れ媒体の場合は、その折り目を拡大された収納幅Ｔ２が形成された背面板と突条の角とに点接触させ、両方の開放端の角を正面板に点接触させて、横折り媒体の落下時の接触面積を大幅に減少させることが可能になり、開いた状態で収納される縦折り媒体および横折り媒体を容易に底板上へ落下させることができ、開いた状態の異種の媒体を同一機構で、同じ収納部に収納することができるという効果が得られる。
【発明を実施するための最良の形態】
【０００８】
以下に、図面を参照して本発明による媒体取扱装置の実施例について説明する。
【実施例】
【０００９】
図１は実施例の通帳ユニットの側面を示す説明図、図２は実施例の取忘れ通帳の収納部の側面を示す説明図、図３は図２の矢印Ａ方向から見た収納部を示す説明図、図４は図３のＢ−Ｂ断面線沿った断面を示す説明図、図５は実施例の通帳ユニットの取込搬送路の上面を示す説明図である。
なお、図３は正面板を除いた状態で示してある。
【００１０】
図１において、１は媒体取扱装置としての通帳ユニットである。
２は通帳ユニット１の取込機構であり、媒体としての通帳を装置の内部に取込む部位であって、通帳を挿入するための媒体挿入口としての通帳挿入口３、通帳挿入口３を開閉するシャッタ４、挿入された通帳を幅寄せして搬送状態を整位する幅寄せ部５、通帳の磁気ストライプ等に記録されている口座番号や記帳最終頁とその最終行等の通帳情報を読み書きする磁気ヘッドを有する読取書込部６、通帳を搬送するための一対のローラを対向配置した複数の搬送ローラ７を有する取込搬送路８、および通帳挿入口３に開いた状態でセットされた通帳の幅（搬送方向と直交する方向の長さをいう。）を検出するための図示しない幅検出センサ、開いた状態で挿入された通帳の搬送方向の長さを検出する図示しない長さ検出センサ等が設けられており、シャッタ４、読取書込部６の磁気ヘッドはそれぞれ図示しない個別のモータで駆動され、その他の搬送ローラ７等の取込機構２の可動部材はモータ９により駆動される。
【００１１】
１０は通帳ユニット１の印字機構であり、取込機構２により開いた状態で受入れた通帳の頁をめくる頁めくり部１１、めくられた頁の頁マークを読取る頁マーク読取部１２、通帳に取引内容等を印字する印字ヘッド１３ａを有する印字部１３、通帳を搬送するためのフィードローラ１４ａ、プレスローラ１４ｂ（図２参照）を対向配置した複数の搬送ローラ１４を有する印字搬送路１５、取忘れられた取忘れ通帳を収納して回収する収納部１６等が設けられており、印字部１３の印字ヘッド１３ａは、図示しないモータにより駆動され、その他の搬送ローラ１４のフィードローラ１４ａ等の印字機構１０の可動部材はモータ１７により駆動される。
【００１２】
また、取込搬送路８と印字搬送路１５とは直線状に配置され、収納部１６への印字搬送路１５のみ鈍角で曲げられている。
本実施例の通帳ユニット１は、縦折り通帳１８と横折り通帳１９との２種類の通帳を、混在させて取扱うように構成されている。
縦折り通帳１８は、図６に示すように、通帳記帳時の印字方向の中央に、印字方向の直交方向に沿って設けられた綴じ目を折り目１８ａとして二つ折りにされる冊子であって、折り目１８ａの方向に搬送され、搬送方向に沿った両端部が開放端１８ｂとなる。
【００１３】
横折り通帳１９は、図７に示すように、通帳記帳時の印字方向の直交方向の中央に、印字方向に沿って設けられた綴じ目を折り目１９ａとして二つ折りにされる冊子であって、折り目１９ａの直交方向に搬送され、搬送方向の両端部が開放端１９ｂとなる。
２０は払込ユニットであり、通帳ユニット１の印字部１３を共用するために、通帳ユニット１に隣接して併設された、払込先の口座番号や払込金額等が記入された払込書等の単票を取扱うユニットであって、払込書を挿入するための払込書挿入口２１、挿入された払込書の記入事項等を読取るスキャナ部２２、払込取引の終了後に印字部１３で取引日時や取引店舗等の必要事項が印刷された取引済みの払込書を収納する払込書収納庫２３、２４、および払込書を搬送するための一対のローラを対向配置した複数の搬送ローラ２５を有する払込書搬送路２６等が設けられており、払込書搬送路２６の払込書挿入口２１の反対側の端部は、頁マーク読取部１２と印字部１３との間で印字搬送路１５に接続している。
【００１４】
また、印字搬送路１５および払込書搬送路２６の各分岐部には、通帳や払込書の搬送方向を切替える切替ブレード２７ａ〜２７ｄが設けられている。
本実施例の通帳ユニット１および払込ユニット２０は、図示しない本体装置としての現金自動預払機に上下に並べて装着されている。
本実施例の取忘れ通帳の収納部１６は、図２〜図４に示すように、正面板３１、２枚の側板３２（図３、図４参照）、正面板３１に対向配置された背面板３３、および底板３４からなる上方が開放された筐体であって、正面板３１と、２枚の側板３２と、背面板３３と、底板３４とで囲まれた媒体収納空間３５に、二つ折りの通帳を開いた状態で、かつ立位で収納する収納部である。
【００１５】
このような開いた状態の通帳は、最も厚い通帳を開いた状態で搬送することが可能な所定の隙間を介して対向配置された一対のガイド板３７ａ、３７ｂに案内されながら、フィードローラ１４ａとプレスローラ１４ｂとの間に挟持されて搬送され、正面板３１に設けられた搬入口３８から媒体収納空間３５に搬入される。
なお、以下の説明においては、搬入口３８に最も近接した位置に設けられたフィードローラ１４ａとプレスローラ１４ｂとで構成される搬送ローラ１４を、特に搬入口ローラ３９という。
【００１６】
４１は収納媒体検出センサであり、媒体収納空間３５に収納された媒体である通帳の存在を検出する光学式のセンサであって、正面板３１の媒体収納空間３５の反対側（以下、正面板３１等の媒体収納空間３５の反対側を裏側という。）に上下に並べて配置された検出部材としての発光部４１ａおよび受光部４１ｂと、背面板３３の裏側に、発光部４１ａおよび受光部４１ｂにそれぞれ対向配置された検出部材としての２つのセンサプリズム４１ｃとを用いて、発光部４１ａから照射された光を２つのセンサプリズム４１ｃでそれぞれ全反射して受光部４１ｂに入射するように構成されており、発光部４１ａとセンサプリズム４１ｃとの間の光軸および／もしくはセンサプリズム４１ｃと受光部４１ｂとの間の光軸を通帳が遮断したことによって、媒体収納空間３５内の通帳の存在を検出する機能を有している。
【００１７】
４３は突条であり、図４に示すように、背面板３３に通帳の搬送方向に沿って設けられたコの字状断面形状を有する突出部であって、その裏側に形成された凹部４４に、背面板３３の裏側に配置される検出部材、本実施例では２つのセンサプリズム４１ｃが収容されている。
このような突条４３は、図８に示すように、縦折り通帳１８の折れ目１８ａを避けた位置に配置され、その両側の背面板３３の媒体収納空間３５側に、それぞれ凹部４５が形成される。
【００１８】
これにより、センサプリズム４１ｃの両側の無駄空間を有効に利用して、通常の収納幅Ｔ１より拡大された収納幅Ｔ２を有する媒体収納空間３５が形成され、縦折り通帳１８が収納される場合には、その折れ目１８ａと開放端１８ｂとが、凹部４５の底面を形成する背面板３３と正面板３１とに接触し、拡大された収納幅Ｔ２を利用して、縦折り通帳１８の復元力による背面板３３および正面板３１との摩擦力を低減することができ、開いた状態で収納される縦折り通帳１８の底板３４への落下性を向上させることができる。
【００１９】
図５において、５０は基準面であり、通帳ユニット１の取込搬送路８の搬送方向に沿った一の側方に設けられた側方ガイド５２の通帳に接する側の面である。
５３は幅寄せ部５の幅寄せガイドであり、基準面５０に対向配置され、基準面５０の方向に往復移動可能に構成されており、取込搬送路８を搬送される通帳を基準面５０に押付けて通帳の搬送状態を、図５に２点差線で示す縦折り通帳１８のように整位する機能を有している。
【００２０】
５５は走行監視センサであり、取込搬送路８を搬送される通帳の通過を監視する光学式のセンサであって、取込搬送路８の幅方向（搬送方向と直交する方向をいう。）の中央部等に設けられて、取込搬送路８を搬送される通帳を確実に検出できるように構成されている。
５６は寄せ検知センサであり、取込搬送路８の基準面５０側の側縁部に設けられた光学式のセンサであって、取込搬送路８を搬送される通帳の幅方向の側端部の通過を検出する機能を有している。
【００２１】
この寄せ検知センサ５６の取付位置は、搬送される通帳が、縦折り通帳１８の場合に、基準面５０からの距離Ｌが、図８に示す収納部１６に収納された縦折り通帳１８の折れ目１８ａと、突条４３の折れ目１８ａ側の側面との間の距離Ｋ未満となるように設定されている。
これにより、収納部１６に収納された縦折り通帳１８の折れ目１８ａが、突条４３に乗り上げることが防止され、縦折り通帳１８の折り目１８ａを、拡大された収納幅Ｔ２の間に収納することを保証することができる。
【００２２】
以下に、図９ないし図１３を用いて、本実施例の通帳ユニット１の作動について説明する。
なお、以下に示す作動は、通帳ユニット１の図示しない制御部が、図示しない記憶部に格納されているプログラムによって、上記した各部を制御して実行するものである。
また、以下においては、通帳として縦折り通帳１８（以下、単に通帳１８という。）が用いられる場合について説明する。
【００２３】
操作者が、開いた状態の通帳１８を通帳挿入口３にセットすると、制御部は幅検出センサによって通帳１８の幅を判定し、通帳１８の幅を正常と判定した場合は、図９に示すように、通帳挿入口３のシャッタ４を開作動させ、通帳１８の幅を異常と判定した場合はシャッタ４を閉じたままとする。
通帳１８の幅を正常と判定した制御部は、図１０に示すように、取込機構２のモータ９によって取込搬送路８の搬送ローラ７を回転させ、通帳１８を通帳情報読取位置まで搬送して停止させ、長さ検出センサによって通帳１８の長さを判定し、通帳１８の長さを正常と判定した場合は、シャッタ４を閉作動させ、通帳１８の長さを正常と異常した場合は、搬送ローラ７を逆転させて通帳１８を操作者へ返却し、返却後にシャッタ４を閉作動させる。
【００２４】
通帳１８の長さを正常と判定した制御部は、モータ９により幅寄せ部５の幅寄せガイド５３を駆動して通帳１８を基準面５０に押付け、寄せ検知センサ５６によって通帳１８が幅寄せされたか否かを判定し、寄せ検知センサ５６が通帳１８を検知しない場合はリトライし、それでも幅寄せできない場合は、シャッタ４を開作動させ、搬送ローラ７を逆転させて通帳１８を操作者へ返却し、返却後にシャッタ４を閉作動させる。
【００２５】
通帳１８が幅寄せされ、基準面５０によって搬送状態が整位されたことを判定した制御部は、モータ９により磁気ヘッドを移動させて通帳１８の磁気ストライプに記録された通帳情報を読取り、正常に読取った場合は正常通帳と判定し、裏返しや左右逆または通帳情報読取不可の場合は、搬送ローラ７を逆転させて通帳１８を通帳挿入口３まで搬送し、シャッタ４を開作動させ、搬送ローラ７を逆転させて通帳１８を操作者へ返却し、返却後にシャッタ４を閉作動させる。
【００２６】
通帳１８を正常通帳と判定した制御部は、読取った通帳情報の口座番号等を本体装置としての現金自動預払機の図示しない主制御部へ送信すると共に、図１１に示すように、取込機構２のモータ９および印字機構１０のモータ１７によって取込搬送路８の搬送ローラ７および印字搬送路１５の搬送ローラ１４を回転させ、通帳１８を頁マーク読取位置まで搬送して停止させ、頁マーク読取部１２によって通帳１８に印刷されている頁マークを読取り、読取った頁が通帳情報の記帳最終頁と一致していれば正常と判定し、不一致または頁マーク読取不可の場合は、搬送ローラ１４、搬送ローラ７を逆転させて通帳１８を通帳挿入口３まで搬送し、シャッタ４を開作動させ、搬送ローラ７を逆転させて通帳１８を操作者へ返却し、返却後にシャッタ４を閉作動させる。
【００２７】
読取った頁マークを正常と判定した制御部は、図１２に示すように、モータ１７によって搬送ローラ１４を回転させ、通帳１８を印字位置まで搬送し、図示しない位置決めセンサによって位置決めして停止させ、現金自動預払機の主制御部からの印字データを受信すると、モータ１７により印字部１３の印字ヘッド１３ａを搬送方向の直交方向に移動させながら受信した印字データを通帳１８に印字する。
【００２８】
通帳１８への印字を終えた制御部は、搬送ローラ１４を逆転させ、通帳１８を頁マーク読取位置まで搬送し、頁マーク読取部１２によって印字された記帳最終頁とその最終行を読取り、その読取後に搬送ローラ１４および搬送ローラ７を逆転させて通帳１８を通帳情報読取位置まで搬送し、磁気ヘッドを移動させて読取った記帳最終頁とその最終行等の書込データを磁気ストライプに書込み、その書込後に、図１３に示すように、シャッタ４を開作動させ、搬送ローラ７を逆転させて記帳済みの通帳１８を通帳挿入口３に最も近接した搬送ローラ７に挟持させて停止させ、操作者への通帳１８の返却確認後にシャッタ４を閉作動させる。
【００２９】
この記帳済みの通帳１８の返却時に、操作者が通帳１８を取忘れた場合の取忘れ通帳の収納処理の作動について、図１４に示すフローチャートを用い、Ｓで示すステップに従って説明する。
Ｓ１、制御部は、その時計機能によって、図１３に示す記帳済みの通帳１８を通帳挿入口３に最も近接した搬送ローラ７に挟持させて停止させたときからの経過時間を計測しながら待機しており、経過時間が所定の待ち時間である受取待ち時間を経過したときに、ステップＳ２へ移行する。経過時間が受取待ち時間以内の場合は前記の待機を継続する。
【００３０】
Ｓ２、経過時間が受取待ち時間を経過したことを判定した制御部は、取込機構２のモータ９によって取込搬送路８の搬送ローラ７を回転させ、開いたままの通帳１８を取込機構２内に取込んでシャッタ４を閉作動させると共に、印字機構１０のモータ１７によって切替ブレード２７ａを図１３において時計方向に回転させ、印字搬送路１５の搬送方向を収納部１６の方向に切替える。
【００３１】
Ｓ３、搬送方向を切替えた制御部は、取込搬送路８の搬送ローラ７を回転させて通帳１８を搬送しながら、走行監視センサ５５が通帳１８の先端を検知するのを待って待機し、走行監視センサ５５が通帳１８の先端を検知したときにステップＳ３へ移行する。走行監視センサ５５が通帳１８の先端を検知しない場合は前記の待機を継続する。
Ｓ４、走行監視センサ５５により通帳１８の先端を検知した制御部は、搬送ローラ７を回転させて、通帳１８を走行監視センサ５５から所定の距離搬送し、通帳１８を図１５に示す取込搬送路８の幅寄せ位置、つまり寄せ検知センサ５６を通帳１８の先端部で覆うことが可能な位置へ搬送して停止させる。
【００３２】
Ｓ５、幅寄せ位置へ通帳１８を搬送した制御部は、寄せ検知センサ５６が通帳１８を検知したか否かを判定し、寄せ検知センサ５６が通帳１８を検知した場合は、通帳１８が正常な搬送状態に整位されていると判定してステップＳ７へ移行する。
寄せ検知センサ５６が通帳１８を検知しない場合は、幅寄せが必要と判定してステップＳ６へ移行する。
【００３３】
Ｓ６、通帳１８の幅寄せが必要と判定した制御部は、モータ９により幅寄せ部５の幅寄せガイド５３を駆動して、通帳１８を基準面５０の方向に押付ける。
その後に制御部は、ステップＳ５へ戻り、寄せ検知センサ５６によって通帳１８が幅寄せされたか否かを再判定し、寄せ検知センサ５６が通帳１８を検知した場合はステップＳ７へ移行する。
【００３４】
寄せ検知センサ５６が通帳１８を検知しない場合は、ステップＳ６による幅寄せ動作を寄せ検知センサ５６が通帳１８を検知するまで繰返す。
この幅寄せ動作を行うことによって、通帳１８の折れ目１８ａを収納部１６の凹部４５に確実に位置させることができ、開いた状態の通帳１８を収納部１６に容易に収納することができる。
【００３５】
Ｓ７、通帳１８が正常な搬送状態に整位されていると判定した制御部は、取込機構２のモータ９および印字機構１０のモータ１７によって取込搬送路８の搬送ローラ７および印字搬送路１５の搬送ローラ１４を回転させ、通帳１８を印字搬送路１５により頁めくり部１１、頁マーク読取部１２、印字部１３を通過させて、切替ブレード２７ａによって収納部１６の方向へ搬送し、図１６に示すように、通帳１８を搬入口ローラ３９のフィードローラ１４ａ、プレスローラ１４ｂに挟持させた状態で、その先端を凹部４５の底面を形成している背面板３３に当接させて上方向に向きを転向させ、通帳１８の折り目１８ａを背面板３３に案内させながら搬入口ローラ３９によるフィード力が無くなるまで、つまりフィードローラ１４ａ、プレスローラ１４ｂによる挟持が解除されるまで搬送する。
【００３６】
そして、通帳１８が搬入口３８から媒体収納空間３５に放出されると、通帳１８はその復元力によって、折り目１８ａを背面板３３に、開放端１８ｂを正面板３１に接触させながら自重により落下して底板３４上に集積される。
このとき、本実施例の収納部１６は、図８に示すように、縦折り通帳１８の折り目１８ａが、拡大された収納幅Ｔ２を形成する凹部４５に位置しているので、縦折り通帳１８の復元力による背面板３３および正面板３１との摩擦力が低減されており、開いた状態で収納された縦折り通帳１８を容易に底板３４上へ落下させることができる。
【００３７】
また、収納媒体検出センサ４１により、収納部１６における通帳１８の存在が検出される。
以上は、縦折り通帳１８の場合を例に説明したが、横折り通帳１９の場合も同様である。
この場合に横折り通帳１９の収納部１６への収納は、横折り通帳１９が搬入口３８から媒体収納空間３５に放出されると、図１８に示すように、横折り通帳１９はその復元力によって、折り目１９ａを突条４３に、開放端１９ｂを正面板３１に接触させながら自重により落下していく。
【００３８】
このとき、横折り通帳１９は、図１９に示すように、折り目１９ａが拡大された収納幅Ｔ２を形成する凹部４５の底面と突条４３の角とに点接触し、両方の開放端１９ｂの角が正面板３１に点接触するので、横折り通帳１９の折り目１９ａや開放端１９ｂが、背面板３３や正面板３１に全長に渡って線接触することはなく、落下時の接触面積を大幅に減少させて開いた状態で収納された横折り通帳１９を容易に底板３４上へ落下させることができる。
【００３９】
このように、本実施例では、同一機構を用いて、縦折り通帳１８および横折り通帳１９を同じ収納部１６に、容易に収納することができる。
また、本実施例の取忘れ通帳の収納部１６は、開いた状態の通帳を立位で収納するので、通帳挿入口３から直線で配置した搬送路を鈍角に曲げるだけで収納部１６に収納することができ、１枚の紙に較べて曲げ搬送が難しい通帳の搬送および収納を容易に行うことができると共に、簡素な構成で取忘れ通帳の収納部１６へ通帳を搬送することができ、通帳ユニット１の小型化を図ることができる。
【００４０】
更に、本実施例では、センサプリズム４１ｃの両側の無駄空間を有効に利用して、突条４３の両側に拡大された収納幅Ｔ２を有する媒体収納空間３５を形成するので、通帳を立位で収納する収納部１６の小型化を図ることができる。
なお、本実施例では、突条４３の裏側の凹部４４に、検出部材としてのセンサプリズム４１ｃを収容するとして説明したが、検出部材としての発光部４１ａまたは受光部４１ｂを凹部４４に収容して、発光部４１ａと受光部４１ｂとを直接対向配置するようにしてもよい。
【００４１】
また、本実施例では、通帳の幅寄せの要否を寄せ検知センサ５６を用いて判定するとして説明したが、搬送方向の直交方向に走行監視センサ５５を所定の間隔を開けて２つ並べて配置しておき、これらの走行監視センサ５５が通帳の先端を検出する時間差によって、通帳のスキューの有無を判定し、スキュー有の場合に幅寄せ部５によって通帳を基準面５０に幅寄せするようにしてもよい。
【００４２】
以上説明したように、本実施例では、取忘れ通帳の収納部の背面板に、縦折り通帳の折り目を避けて突条を設け、その突条の裏側の凹部にセンサプリズムを収容するようにしたことによって、センサプリズムの両側の無駄空間を利用して突条を形成することが可能になり、通帳ユニットの小型化を図ることができると共に、突条の両側に拡大された収納幅Ｔ２を有する媒体収納空間を形成することができ、縦折り通帳を収納する場合は、拡大された収納幅Ｔ２を利用して縦折り通帳の復元力による背面板および正面板との摩擦力を低減することが可能になり、横折れ通帳の場合は、その折り目を拡大された収納幅Ｔ２が形成された背面板と突条の角とに点接触させ、両方の開放端の角を正面板に点接触させて、横折り通帳の落下時の接触面積を大幅に減少させることが可能になり、開いた状態で収納される縦折り通帳および横折り通帳を容易に底板上へ落下させることができ、開いた状態の異種の通帳を同一機構で、同じ収納部に立位で収納することができる。
【図面の簡単な説明】
【００４３】
【図１】実施例の通帳ユニットの側面を示す説明図
【図２】実施例の取忘れ通帳の収納部の側面を示す説明図
【図３】図２の矢印Ａ方向から見た収納部を示す説明図
【図４】図３のＢ−Ｂ断面線沿った断面を示す説明図
【図５】実施例の通帳ユニットの取込搬送路の上面を示す説明図
【図６】実施例の縦折り通帳の外観を示す説明図
【図７】実施例の横折り通帳の外観を示す説明図
【図８】実施例の収納部の寸法関係を示す説明図
【図９】実施例の通帳ユニットの通帳挿入口へ通帳のセット状態を示す説明図
【図１０】実施例の通帳ユニットの通帳情報読取位置における作動を示す説明図
【図１１】実施例の通帳ユニットの頁マーク読取位置における作動を示す説明図
【図１２】実施例の通帳ユニットの印字位置における作動を示す説明図
【図１３】実施例の通帳ユニットの記帳済み通帳の返却状態を示す説明図
【図１４】実施例の取忘れ通帳の収納処理を示すフローチャート
【図１５】実施例の取忘れ通帳の幅寄せ動作を示す説明図
【図１６】実施例の縦折り通帳の収納動作を示す説明図
【図１７】実施例の縦折り通帳の収納状態を示す説明図
【図１８】実施例の横折り通帳の収納動作の側面を示す説明図
【図１９】実施例の横折り通帳の収納動作の上面を示す説明図
【符号の説明】
【００４４】
１    通帳ユニット
２    取込機構
３    通帳挿入口
４    シャッタ
５    幅寄せ部
６    読取書込部
７、１４、２５  搬送ローラ
８    取込搬送路
９、１７  モータ
１０  印字機構
１１  頁めくり部
１２  頁マーク読取部
１３  印字部
１３ａ  印字ヘッド
１４ａ  フィードローラ
１４ｂ  プレスローラ
１５  印字搬送路
１６  収納部
１８  縦折り通帳（通帳）
１８ａ、１９ａ  折り目
１８ｂ、１９ｂ  開放端
１９  横折り通帳
２０  払込ユニット
２１  払込書挿入口
２２  スキャナ部
２３、２４  払込書収納庫
２６  払込書搬送路
２７ａ〜２７ｄ  切替ブレード
３１  正面板
３２  側板
３３  背面板
３４  底板
３５  媒体収納空間
３７ａ、３７ｂ  ガイド板
３８  搬入口
３９  搬入口ローラ
４１  収納媒体検出センサ
４１ａ  発光部
４１ｂ  受光部
４１ｃ  センサプリズム
４３  突条
４４、４５  凹部
５０  基準面
５２  側方ガイド
５３  幅寄せガイド
５５  走行監視センサ
５６  寄せ検知センサ
【図１】
2010122983.tif 000003
【図２】
2010122983.tif 000004
【図３】
2010122983.tif 000005
【図４】
2010122983.tif 000006
【図５】
2010122983.tif 000007
【図６】
2010122983.tif 000008
【図７】
2010122983.tif 000009
【図８】
2010122983.tif 000010
【図９】
2010122983.tif 000011
【図１０】
2010122983.tif 000012
【図１１】
2010122983.tif 000013
【図１２】
2010122983.tif 000014
【図１３】
2010122983.tif 000015
【図１４】
2010122983.tif 000016
【図１５】
2010122983.tif 000017
【図１６】
2010122983.tif 000018
【図１７】
2010122983.tif 000019
【図１８】
2010122983.tif 000020
【図１９】
2010122983.tif 000021